(57)【要約】【課題】第１ヘッダタンクが、過冷却部よりも外側に突出した部分を持たないコンデンサを提供する。【解決手段】コンデンサの第１ヘッダタンク３は、下端が開口した筒状本体18と、筒状本体18内からの冷媒の洩れを防止する洩れ防止部材19とよりなる。第１ヘッダタンク３の筒状本体18内の過冷却部と対応する高さ位置にめねじ部材21を設ける。めねじ部材21に上下両端が開口し、内周面にめねじ23が形成された円筒状部22を設ける。洩れ防止部材19に、外周面におねじ29が形成されたおねじ部材28を設ける。おねじ部材28のおねじ29をめねじ部材21のめねじ23にねじ嵌める。筒状本体18の内周面とめねじ部材21の筒状部22外周面との間に冷媒流通空間24を形成する。過冷却部の熱交換管２の端部を冷媒流通空間24内に突出させる。【選択図】図３
2014173831.tif 000002
【特許請求の範囲】
【請求項１】
凝縮部および過冷却部が上下に並んで設けられており、長手方向を左右方向に向けるとともに上下方向に間隔をおいて並列状に配置された複数の熱交換管と、長手方向を上下方向に向けて配置されかつ熱交換管の左右両端部が接続されたヘッダタンクとを備え、左右いずれか一端部側に、過冷却部の熱交換管が接続されかつ気液を分離するとともに液を溜める機能を有する第１ヘッダタンクと、第１ヘッダタンクの左右方向内側に配置された第２ヘッダタンクとが設けられ、第１ヘッダタンクの凝縮部側端部が第２ヘッダタンクの過冷却部側の一端を越えて第２ヘッダタンクの他端側に延び、第１ヘッダタンクが、凝縮部側端部が閉鎖されるとともに過冷却部側端部が開口した筒状本体と、筒状本体の過冷却部側端部に着脱自在に取り付けられて筒状本体の過冷却部側端部の開口からの冷媒の洩れを防止する洩れ防止部材とよりなり、過冷却部の熱交換管が、端部が第１ヘッダタンクの筒状本体内に突出するように第１ヘッダタンクに接続され、凝縮部を通過した冷媒が、第１ヘッダタンク内に流入した後過冷却部の熱交換管に流入するようになされているコンデンサであって、
第１ヘッダタンクの筒状本体内の過冷却部と対応する高さ位置に、筒状本体への洩れ防止部材の着脱自在の取付に利用されるめねじ部材が設けられ、めねじ部材に、長手方向を上下方向に向け、かつ一端が筒状本体の過冷却部側の外部に向かって開口するとともに他端がめねじ部材よりも第１ヘッダタンク内の凝縮部側の部分に向かって開口した筒状部が設けられ、筒状部の内周面が円筒面となされるとともに当該円筒面にめねじが形成されており、
洩れ防止部材に、外周面が円筒面であるとともに当該円筒面におねじが形成された円柱状おねじ部材が設けられ、洩れ防止部材のおねじ部材のおねじが筒状本体のめねじ部材のめねじにねじ嵌められることにより、洩れ防止部材が筒状本体に着脱自在に取り付けられており、
第１ヘッダタンクの筒状本体における過冷却部の熱交換管が接続される部分の内周面とめねじ部材の筒状部外周面との間に冷媒流通空間が形成され、過冷却部の熱交換管の端部が冷媒流通空間内に突出しており、凝縮部側空間から過冷却部側空間内に流入した冷媒が、冷媒流通空間を経て過冷却部の熱交換管に流入するようになされているコンデンサ。
【請求項２】
第１ヘッダタンクの筒状本体の内周面と、めねじ部材の筒状部外周面との間に冷媒流通空間が全周にわたって形成されており、めねじ部材が過冷却部の全高にわたって設けられ、めねじ部材の筒状部の上下両端部に、外方に張り出すとともに外周縁部が筒状本体の内周面に密着することにより冷媒流通空間の上下両端を塞ぐ閉鎖部が設けられ、第１ヘッダタンク内の凝縮部側の空間とめねじ部材の筒状部内とが当該筒状部の凝縮部側端部の開口を介して通じさせられ、めねじ部材の筒状部に、当該筒状部内と冷媒流通空間とを連通させる冷媒通過穴が形成されている請求項１記載のコンデンサ。
【請求項３】
洩れ防止部材のおねじ部材が、めねじ部材の筒状部の過冷却部側端部の開口を塞ぐことにより筒状本体内からの冷媒の洩れを防止する洩れ防止部を有している請求項２記載のコンデンサ。
【請求項４】
めねじ部材が、第１ヘッダタンクの筒状本体と別個に形成されるとともに筒状本体に接合されている請求項２または３記載のコンデンサ。
【請求項５】
上下に連続して並んだ複数の熱交換管からなる熱交換パスが上下に並んで３以上設けられ、凝縮部に、冷媒を凝縮させる冷媒凝縮パスとなる少なくとも２つの熱交換パスが設けられ、過冷却部に、冷媒を過冷却する冷媒過冷却パスとなる少なくとも１つの熱交換パスが設けられ、第１ヘッダタンクに、冷媒過冷却パスの熱交換管および冷媒流れ方向最下流側の冷媒凝縮パスの熱交換管が接続され、第２ヘッダタンクに残りの冷媒凝縮パスの熱交換管が接続され、凝縮部を通過した冷媒が、冷媒流れ方向下流端の冷媒凝縮パスの熱交換管から第１ヘッダタンク内に流入するようになされている請求項２〜４のうちのいずれかに記載のコンデンサ。
【請求項６】
凝縮部および過冷却部が、凝縮部が上側に位置するように設けられており、凝縮部において、冷媒が上端の冷媒凝縮パスから下端の冷媒凝縮パスに向かって流れるようになされ、過冷却部に１つの冷媒過冷却パスが設けられ、すべての冷媒凝縮パスを流れた冷媒が、第１ヘッダタンク内に流入した後めねじ部材の筒状部内に流入し、ついで冷媒通過穴を通って冷媒流通空間内に流入し、さらに冷媒過冷却パスの熱交換管に流入するようになされている請求項５記載のコンデンサ。
【請求項７】
凝縮部および過冷却部が、凝縮部が下側に位置するように設けられており、凝縮部において、冷媒が下端の冷媒凝縮パスから上端の冷媒凝縮パスに向かって流れるようになされ、過冷却部に１つの冷媒過冷却パスが設けられ、第１ヘッダタンク内におけるめねじ部材よりも凝縮部側の部分に、一端が第１ヘッダタンク内の下端部に位置するとともに他端がめねじ部材の筒状部内に通じている冷媒上昇管が配置され、すべての冷媒凝縮パスを流れた冷媒が、第１ヘッダタンク内に流入するとともに、第１ヘッダタンク内の下端部から冷媒上昇管内に入り、冷媒上昇管内を過冷却部側に流れてめねじ部材の筒状部内に流入し、ついで冷媒通過穴を通って冷媒流通空間内に流入し、さらに冷媒過冷却パスの熱交換管に流入するようになされている請求項５記載のコンデンサ。
【請求項８】
上下に連続して並んだ複数の熱交換管からなる熱交換パスが上下に並んで２以上設けられ、凝縮部に、冷媒を凝縮させる冷媒凝縮パスとなる少なくとも１つの熱交換パスが設けられ、過冷却部に、冷媒を過冷却する冷媒過冷却パスとなる少なくとも１つの熱交換パスが設けられ、第１ヘッダタンクに冷媒過冷却パスの熱交換管が接続され、第２ヘッダタンクに冷媒凝縮パスの熱交換管が接続され、第１ヘッダタンク内におけるめねじ部材よりも凝縮側の部分と第２ヘッダタンク内における冷媒流れ方向下流端の冷媒凝縮パスの熱交換管が通じる部分とが連通部を介して通じさせられ、凝縮部を通過した冷媒が、第２ヘッダタンク内に流入し、ついで連通部を通って第１ヘッダタンク内に流入するようになされている請求項２〜４のうちのいずれかに記載のコンデンサ。
【請求項９】
凝縮部および過冷却部が、凝縮部が上側に位置するように設けられており、過冷却部に１つの冷媒過冷却パスが設けられ、冷媒凝縮パスを流れた冷媒が、第２ヘッダタンク内に流入し、ついで連通部を通って第１ヘッダタンク内に流入した後めねじ部材の筒状部内に流入し、ついで冷媒通過穴を通って冷媒流通空間内に流入し、さらに冷媒過冷却パスの熱交換管に流入するようになされている請求項８記載のコンデンサ。
【請求項１０】
凝縮部および過冷却部が、凝縮部が下側に位置するように設けられており、過冷却部に１つの冷媒過冷却パスが設けられ、第１ヘッダタンク内におけるめねじ部材よりも凝縮部側の部分に、一端が第１ヘッダタンク内の下端部に位置するとともに他端がめねじ部材の筒状部内に通じている冷媒上昇管が配置され、冷媒凝縮パスを流れた冷媒が、第２ヘッダタンク内に流入し、ついで連通部を通って第１ヘッダタンク内に流入するとともに、第１ヘッダタンク内の下端部から冷媒上昇管内に入り、冷媒上昇管内を過冷却部側に流れてめねじ部材の筒状部内に流入し、ついで冷媒通過穴を通って冷媒流通空間内に流入し、さらに冷媒過冷却パスの熱交換管に流入するようになされている請求項８記載のコンデンサ。
【請求項１１】
洩れ防止部材のおねじ部材の下端部に、めねじ部材の筒状部の下端開口を塞ぐ閉鎖部が固定状に設けられ、当該閉鎖部に貫通穴が形成され、冷媒上昇管の上端部が、冷媒上昇管の管路と貫通穴とが通じるように閉鎖部に固定されている請求項７または１０記載のコンデンサ。
【請求項１２】
洩れ防止部材のおねじ部材の下端部に、めねじ部材の筒状部の下端開口を塞ぐ閉鎖部が、おねじ部材に対してめねじ部材の筒状部の中心線周りに回転しうるように設けられ、当該閉鎖部に貫通穴が形成され、冷媒上昇管の上端部が、冷媒上昇管の管路と貫通穴とが通じるように閉鎖部に固定されている請求項７または１０記載のコンデンサ。
【請求項１３】
洩れ防止部材のおねじ部材の凝縮部側端部に、第１ヘッダタンク内の凝縮部側空間からめねじ部材の筒状部内に流入する冷媒中の異物を除去するストレーナが設けられ、ストレーナの下端部に閉鎖部が設けられている請求項１１または１２記載のコンデンサ。
【発明の詳細な説明】
【技術分野】
【０００１】
この発明は、たとえば自動車に搭載される冷凍サイクルであるカーエアコンに好適に用いられるコンデンサに関する。
【０００２】
この明細書および特許請求の範囲において、図１および図７の上下、左右を上下、左右というものとする。
【背景技術】
【０００３】
たとえばカーエアコンのコンデンサとして、凝縮部および過冷却部を備えたサブクール式のコンデンサが広く用いられている。
【０００４】
カーエアコンに用いられるサブクール式のコンデンサとして、本出願人は、先に、凝縮部および過冷却部が、前者が上側に位置するように設けられており、長手方向を左右方向に向けるとともに上下方向に間隔をおいて並列状に配置された複数の熱交換管と、熱交換管の左右両端部が接続された上下方向にのびるヘッダタンクとを備え、上下に連続して並んだ複数の熱交換管からなる熱交換パスが上下に並んで３以上設けられ、凝縮部に設けられた熱交換パスが冷媒を凝縮させる冷媒凝縮パスであり、過冷却部に設けられた熱交換パスが冷媒を過冷却する冷媒過冷却パスであり、左右いずれか一端部側に、冷媒過冷却パスの熱交換管および下端の冷媒凝縮パスの熱交換管が接続される第１ヘッダタンクと、下端の冷媒凝縮パスを除いた冷媒凝縮パスの熱交換管が接続される第２ヘッダタンクとが設けられ、第１ヘッダタンクが、第２ヘッダタンクよりも左右方向外側に配置されるとともに、第１ヘッダタンクの上端が第２ヘッダタンクの下端よりも上方に位置しており、第１ヘッダタンクが気液を分離しかつ液を溜める機能を有し、第１ヘッダタンク内に乾燥剤を収納した乾燥剤収納部材が配置されているコンデンサを提案した（特許文献１参照）。
【０００５】
特許文献１記載のコンデンサにおいては、第１ヘッダタンクは、下端部が閉鎖されるとともに上端が開口した筒状本体と、筒状本体の上端部に着脱自在に取り付けられて筒状本体の上端開口を閉鎖する閉鎖部材とよりなり、乾燥剤収納部材は筒状本体の上端開口を通して出し入れされるようになっている。したがって、特許文献１記載のコンデンサをカーエアコンに組み込んだ後に乾燥剤収納部材を交換する必要が生じた場合には、その作業は上方から行われる。
【０００６】
ところで、カーエアコンのコンデンサにおいては、自動車のエンジンルームでのレイアウトの都合上、乾燥剤収納部材の交換作業を下方から行うことが要求される場合がある。
【０００７】
そこで、本出願人は、特許文献１に記載されたコンデンサにおいて、第１ヘッダタンクの下端部が、過冷却部の下端よりも下方に突出させられ、第１ヘッダタンクが、上端が閉鎖されるとともに下端が開口した筒状本体と、筒状本体の下端部に着脱自在に取り付けられて筒状本体内からの冷媒の洩れを防止する洩れ防止部材とよりなり、第１ヘッダタンクの筒状本体の内周面の下端部にめねじが形成され、洩れ防止部材が筒状本体内に挿入される挿入部を備え、挿入部の外周面におねじが形成され、挿入部が筒状本体の下端部内にねじ嵌められ、第１ヘッダタンク内における凝縮部と過冷却部との間の高さ位置に、第１ヘッダタンク内を上下方向に並んだ２つの空間に区画する仕切部が設けられ、冷媒流れ方向最下流側の冷媒凝縮パスの熱交換管が第１ヘッダタンク内の上側空間に通じるように筒状本体に接合され、冷媒過冷却パスの熱交換管が第１ヘッダタンク内の下側空間に通じるように筒状本体に接合され、冷媒流れ方向最下流側の冷媒凝縮パスの熱交換管および冷媒過冷却パスの熱交換管の端部がそれぞれ第１ヘッダタンク内に突出し、第１ヘッダタンク内に、乾燥剤収納部材が仕切部を貫通して仕切部の上下両側に跨るように配置され、冷媒流れ方向下流端の冷媒凝縮パスの熱交換管から第１ヘッダタンク内の上側空間に流入した冷媒が、仕切部よりも凝縮部側の部分で乾燥剤収納部材内に流入し、ついで乾燥剤収納部材内を通って仕切部よりも過冷却部側の部分で第１ヘッダタンク内の下側空間に流出し、さらに冷媒凝縮パスに隣接する冷媒過冷却パスの熱交換管に流入するようになされているコンデンサを提案した（特許文献２参照）。
【０００８】
特許文献２記載のコンデンサにおいては、洩れ防止部材を筒状本体に着脱自在に取り付けるとともに、過冷却部の熱交換管を第１ヘッダタンク内に通じさせる目的で、第１ヘッダタンクの下端部が過冷却部よりも下側に突出させられ、当該突出部の内周面にめねじが形成され、洩れ防止部材が筒状本体内に挿入される筒状挿入部を備え、挿入部の外周面におねじが形成され、筒状挿入部が筒状本体の下端部内にねじ嵌められている。
【０００９】
しかしながら、特許文献２記載のコンデンサは、第１ヘッダタンクの下端部が過冷却部よりも下側に突出しているので、このコンデンサを有するカーエアコンを自動車に組み込む際に、第１ヘッダタンクの下端部における下側への突出部が邪魔になり、作業性が低下するおそれがある。
【先行技術文献】
【特許文献】
【００１０】
【特許文献１】国際公開第２０１０／０４７３２０号パンフレット
【特許文献２】特開２０１２−１５４６０６号公報
【発明の概要】
【発明が解決しようとする課題】
【００１１】
この発明の目的は、上記要求に応え、第１ヘッダタンクが、過冷却部よりも外側に突出した部分を持たないコンデンサを提供することにある。
【課題を解決するための手段】
【００１２】
本発明は、上記目的を達成するために以下の態様からなる。
【００１３】
1)凝縮部および過冷却部が上下に並んで設けられており、長手方向を左右方向に向けるとともに上下方向に間隔をおいて並列状に配置された複数の熱交換管と、長手方向を上下方向に向けて配置されかつ熱交換管の左右両端部が接続されたヘッダタンクとを備え、左右いずれか一端部側に、過冷却部の熱交換管が接続されかつ気液を分離するとともに液を溜める機能を有する第１ヘッダタンクと、第１ヘッダタンクの左右方向内側に配置された第２ヘッダタンクとが設けられ、第１ヘッダタンクの凝縮部側端部が第２ヘッダタンクの過冷却部側の一端を越えて第２ヘッダタンクの他端側に延び、第１ヘッダタンクが、凝縮部側端部が閉鎖されるとともに過冷却部側端部が開口した筒状本体と、筒状本体の過冷却部側端部に着脱自在に取り付けられて筒状本体の過冷却部側端部の開口からの冷媒の洩れを防止する洩れ防止部材とよりなり、過冷却部の熱交換管が、端部が第１ヘッダタンクの筒状本体内に突出するように第１ヘッダタンクに接続され、凝縮部を通過した冷媒が、第１ヘッダタンク内に流入した後過冷却部の熱交換管に流入するようになされているコンデンサであって、
第１ヘッダタンクの筒状本体内の過冷却部と対応する高さ位置に、筒状本体への洩れ防止部材の着脱自在の取付に利用されるめねじ部材が設けられ、めねじ部材に、長手方向を上下方向に向け、かつ一端が筒状本体の過冷却部側の外部に向かって開口するとともに他端がめねじ部材よりも第１ヘッダタンク内の凝縮部側の部分に向かって開口した筒状部が設けられ、筒状部の内周面が円筒面となされるとともに当該円筒面にめねじが形成されており、
洩れ防止部材に、外周面が円筒面であるとともに当該円筒面におねじが形成された円柱状おねじ部材が設けられ、洩れ防止部材のおねじ部材のおねじが筒状本体のめねじ部材のめねじにねじ嵌められることにより、洩れ防止部材が筒状本体に着脱自在に取り付けられており、
第１ヘッダタンクの筒状本体における過冷却部の熱交換管が接続される部分の内周面とめねじ部材の筒状部外周面との間に冷媒流通空間が形成され、過冷却部の熱交換管の端部が冷媒流通空間内に突出しており、凝縮部側空間から過冷却部側空間内に流入した冷媒が、冷媒流通空間を経て過冷却部の熱交換管に流入するようになされているコンデンサ。
【００１４】
2)第１ヘッダタンクの筒状本体の内周面と、めねじ部材の筒状部外周面との間に冷媒流通空間が全周にわたって形成されており、めねじ部材が過冷却部の全高にわたって設けられ、めねじ部材の筒状部の上下両端部に、外方に張り出すとともに外周縁部が筒状本体の内周面に密着することにより冷媒流通空間の上下両端を塞ぐ閉鎖部が設けられ、第１ヘッダタンク内の凝縮部側の空間とめねじ部材の筒状部内とが当該筒状部の凝縮部側端部の開口を介して通じさせられ、めねじ部材の筒状部に、当該筒状部内と冷媒流通空間とを連通させる冷媒通過穴が形成されている上記1)記載のコンデンサ。
【００１５】
3)洩れ防止部材のおねじ部材が、めねじ部材の筒状部の過冷却部側端部の開口を塞ぐことにより筒状本体内からの冷媒の洩れを防止する洩れ防止部を有している上記2)記載のコンデンサ。
【００１６】
4)めねじ部材が、第１ヘッダタンクの筒状本体と別個に形成されるとともに筒状本体に接合されている上記2)または3)記載のコンデンサ。
【００１７】
5)上下に連続して並んだ複数の熱交換管からなる熱交換パスが上下に並んで３以上設けられ、凝縮部に、冷媒を凝縮させる冷媒凝縮パスとなる少なくとも２つの熱交換パスが設けられ、過冷却部に、冷媒を過冷却する冷媒過冷却パスとなる少なくとも１つの熱交換パスが設けられ、第１ヘッダタンクに、冷媒過冷却パスの熱交換管および冷媒流れ方向最下流側の冷媒凝縮パスの熱交換管が接続され、第２ヘッダタンクに残りの冷媒凝縮パスの熱交換管が接続され、凝縮部を通過した冷媒が、冷媒流れ方向下流端の冷媒凝縮パスの熱交換管から第１ヘッダタンク内に流入するようになされている上記2)〜4)のうちのいずれかに記載のコンデンサ。
【００１８】
6)凝縮部および過冷却部が、凝縮部が上側に位置するように設けられており、凝縮部において、冷媒が上端の冷媒凝縮パスから下端の冷媒凝縮パスに向かって流れるようになされ、過冷却部に１つの冷媒過冷却パスが設けられ、すべての冷媒凝縮パスを流れた冷媒が、第１ヘッダタンク内に流入した後めねじ部材の筒状部内に流入し、ついで冷媒通過穴を通って冷媒流通空間内に流入し、さらに冷媒過冷却パスの熱交換管に流入するようになされている上記5)記載のコンデンサ。
【００１９】
7)凝縮部および過冷却部が、凝縮部が下側に位置するように設けられており、凝縮部において、冷媒が下端の冷媒凝縮パスから上端の冷媒凝縮パスに向かって流れるようになされ、過冷却部に１つの冷媒過冷却パスが設けられ、第１ヘッダタンク内におけるめねじ部材よりも凝縮部側の部分に、一端が第１ヘッダタンク内の下端部に位置するとともに他端がめねじ部材の筒状部内に通じている冷媒上昇管が配置され、すべての冷媒凝縮パスを流れた冷媒が、第１ヘッダタンク内に流入するとともに、第１ヘッダタンク内の下端部から冷媒上昇管内に入り、冷媒上昇管内を過冷却部側に流れてめねじ部材の筒状部内に流入し、ついで冷媒通過穴を通って冷媒流通空間内に流入し、さらに冷媒過冷却パスの熱交換管に流入するようになされている上記5)記載のコンデンサ。
【００２０】
8)上下に連続して並んだ複数の熱交換管からなる熱交換パスが上下に並んで２以上設けられ、凝縮部に、冷媒を凝縮させる冷媒凝縮パスとなる少なくとも１つの熱交換パスが設けられ、過冷却部に、冷媒を過冷却する冷媒過冷却パスとなる少なくとも１つの熱交換パスが設けられ、第１ヘッダタンクに冷媒過冷却パスの熱交換管が接続され、第２ヘッダタンクに冷媒凝縮パスの熱交換管が接続され、第１ヘッダタンク内におけるめねじ部材よりも凝縮側の部分と第２ヘッダタンク内における冷媒流れ方向下流端の冷媒凝縮パスの熱交換管が通じる部分とが連通部を介して通じさせられ、凝縮部を通過した冷媒が、第２ヘッダタンク内に流入し、ついで連通部を通って第１ヘッダタンク内に流入するようになされている上記2)〜4)のうちのいずれかに記載のコンデンサ。
【００２１】
9)凝縮部および過冷却部が、凝縮部が上側に位置するように設けられており、過冷却部に１つの冷媒過冷却パスが設けられ、冷媒凝縮パスを流れた冷媒が、第２ヘッダタンク内に流入し、ついで連通部を通って第１ヘッダタンク内に流入した後めねじ部材の筒状部内に流入し、ついで冷媒通過穴を通って冷媒流通空間内に流入し、さらに冷媒過冷却パスの熱交換管に流入するようになされている上記8)記載のコンデンサ。
【００２２】
10)凝縮部および過冷却部が、凝縮部が下側に位置するように設けられており、過冷却部に１つの冷媒過冷却パスが設けられ、第１ヘッダタンク内におけるめねじ部材よりも凝縮部側の部分に、一端が第１ヘッダタンク内の下端部に位置するとともに他端がめねじ部材の筒状部内に通じている冷媒上昇管が配置され、冷媒凝縮パスを流れた冷媒が、第２ヘッダタンク内に流入し、ついで連通部を通って第１ヘッダタンク内に流入するとともに、第１ヘッダタンク内の下端部から冷媒上昇管内に入り、冷媒上昇管内を過冷却部側に流れてめねじ部材の筒状部内に流入し、ついで冷媒通過穴を通って冷媒流通空間内に流入し、さらに冷媒過冷却パスの熱交換管に流入するようになされている上記8)記載のコンデンサ。
【００２３】
11)洩れ防止部材のおねじ部材の下端部に、めねじ部材の筒状部の下端開口を塞ぐ閉鎖部が固定状に設けられ、当該閉鎖部に貫通穴が形成され、冷媒上昇管の上端部が、冷媒上昇管の管路と貫通穴とが通じるように閉鎖部に固定されている上記7)または10)記載のコンデンサ。
【００２４】
12)洩れ防止部材のおねじ部材の下端部に、めねじ部材の筒状部の下端開口を塞ぐ閉鎖部が、おねじ部材に対してめねじ部材の筒状部の中心線周りに回転しうるように設けられ、当該閉鎖部に貫通穴が形成され、冷媒上昇管の上端部が、冷媒上昇管の管路と貫通穴とが通じるように閉鎖部に固定されている上記7)または10)記載のコンデンサ。
【００２５】
13)洩れ防止部材のおねじ部材の凝縮部側端部に、第１ヘッダタンク内の凝縮部側空間からめねじ部材の筒状部内に流入する冷媒中の異物を除去するストレーナが設けられ、ストレーナの下端部に閉鎖部が設けられている上記11)または12)記載のコンデンサ。
【発明の効果】
【００２６】
上記1)〜13)のコンデンサによれば、第１ヘッダタンクの筒状本体内の過冷却部と対応する高さ位置に、筒状本体への洩れ防止部材の着脱自在の取付に利用されるめねじ部材が設けられ、めねじ部材に、長手方向を上下方向に向け、かつ一端が筒状本体の過冷却部側の外部に向かって開口するとともに他端がめねじ部材よりも第１ヘッダタンク内の凝縮部側の部分に向かって開口した筒状部が設けられ、筒状部の内周面が円筒面となされるとともに当該円筒面にめねじが形成されており、洩れ防止部材に、外周面が円筒面であるとともに当該円筒面におねじが形成された円柱状おねじ部材が設けられ、洩れ防止部材のおねじ部材のおねじが筒状本体のめねじ部材のめねじにねじ嵌められることにより、洩れ防止部材が筒状本体に着脱自在に取り付けられており、第１ヘッダタンクの筒状本体における過冷却部の熱交換管が接続される部分の内周面とめねじ部材の筒状部外周面との間に冷媒流通空間が形成され、過冷却部の熱交換管の端部が冷媒流通空間内に突出しており、凝縮部側空間から過冷却部側空間内に流入した冷媒が、冷媒流通空間を経て過冷却部の熱交換管に流入するようになされているので、第１ヘッダタンクの過冷却部側の部分に、凝縮部とは反対側の端部よりも突出した部分を設けることなく、洩れ防止部材を第１ヘッダタンクの筒状本体に着脱自在に取り付けることができるとともに、過冷却部の熱交換管を第１ヘッダタンク内に通じさせることができる。その結果、上記1)〜13)のコンデンサを有するカーエアコンを自動車に組み込む際の作業性が向上する。
【００２７】
上記2)のコンデンサによれば、比較的簡単な構成で、第１ヘッダタンクの筒状本体の内周面とめねじ部材の筒状部外周面との間に冷媒流通空間を形成するとともに、過冷却部の熱交換管の端部を、めねじ部材に干渉することなく冷媒流通空間内に突出させることが可能になる。
【００２８】
上記3)のコンデンサによれば、第１ヘッダタンクの筒状本体内からの冷媒の洩れを確実に防止することができる。
【００２９】
上記4)のコンデンサによれば、第１ヘッダタンクの筒状本体内の過冷却部側端部に、比較的簡単にめねじ部材を設けることができる。
【００３０】
上記6)および9)のコンデンサによれば、第１ヘッダタンク内に乾燥剤を収納した乾燥剤収納部材が配置される場合であっても、カーエアコンに組み込んだ後に乾燥剤収納部材を交換する際には、乾燥剤収納部材の交換作業を下方から行うことが可能になる。その結果、乾燥剤収納部材の交換作業を下方から行うという要求に応えることができる。
【００３１】
上記7)および10)のコンデンサによれば、第１ヘッダタンク内に乾燥剤を収納した乾燥剤収納部材が配置される場合であっても、カーエアコンに組み込んだ後に乾燥剤収納部材を交換する際には、乾燥剤収納部材の交換作業を上方から行うことが可能になる。
【００３２】
上記11)および12)のコンデンサによれば、冷媒上昇管の上端部を、確実にめねじ部材の筒状部内に通じさせることができる。
【００３３】
上記12)のコンデンサによれば、洩れ防止部材のおねじ部材を筒状本体のめねじ部材にねじ嵌める際およびめねじ部材からねじ外す際に、冷媒上昇管が、おねじ部材とともに回転することはなく、上記作業をスムーズに行うことができる。
【００３４】
上記13)のコンデンサによれば、比較的簡単な構成で、おねじ部材の下端部に、めねじ部材の筒状部の下端開口を塞ぐ閉鎖部を設けることができる。
【図面の簡単な説明】
【００３５】
【図１】この発明の実施形態１のコンデンサの全体構成を示す正面図である。
【図２】この発明の実施形態１のコンデンサを模式的に示す正面図である。
【図３】図１のコンデンサの第１ヘッダタンクの下側部分を拡大して示す一部を省略した垂直断面図である。
【図４】図３のＡ−Ａ線断面図である。
【図５】図１のコンデンサの第１ヘッダタンクの下側部分を拡大して示す分解斜視図である。
【図６】この発明の実施形態２のコンデンサを模式的に示す正面図である。
【図７】この発明の実施形態３のコンデンサの全体構成を示す正面図である。
【図８】この発明の実施形態３のコンデンサを模式的に示す正面図である。
【図９】図７のコンデンサの第１ヘッダタンクの上側部分を拡大して示す一部を省略した垂直断面図である。
【図１０】図９のＢ−Ｂ線断面図である。
【図１１】図９のコンデンサの第１ヘッダタンクの下側部分を拡大して示す分解斜視図である。
【図１２】この発明の実施形態３のコンデンサに用いられる洩れ防止部材の変形例を示す図９相当の図である。
【図１３】この発明の実施形態３のコンデンサに用いられる洩れ防止部材の他の変形例を示す図９相当の図である。
【図１４】この発明の実施形態４のコンデンサを模式的に示す正面図である。
【発明を実施するための形態】
【００３６】
以下、この発明の実施形態を、図面を参照して説明する。なお、全図面を通じて同一部分および同一物には同一符号を付して重複する説明を省略する。
【００３７】
図示の実施形態において、風は図１および図７の紙面裏側から紙面表側（図４および図１０の上側から下側）に流れるものとする。
【００３８】
また、以下の説明において、「アルミニウム」という用語には、純アルミニウムの他にアルミニウム合金を含むものとする。
【００３９】
実施形態１
この実施形態は図１〜図５に示すものである。図１はこの発明の実施形態１のコンデンサの全体構成を示し、図２はこの発明の実施形態１のコンデンサを模式的に示す。図２においては、個々の熱交換管の図示は省略されるとともに、コルゲートフィン、サイドプレート、冷媒入口部材および冷媒出口部材の図示も省略されている。また、図３〜図５は図１のコンデンサの要部の構成を示す。
【００４０】
図１において、コンデンサ(1)は、幅方向を通風方向に向けるとともに長手方向を左右方向に向けた状態で上下方向に間隔をおいて配置された複数のアルミニウム製扁平状熱交換管(2)と、長手方向を上下方向に向けた状態で配置され、かつ熱交換管(2)の左右両端部がろう付により連通状に接続された３つのアルミニウム製ヘッダタンク(3)(4)(5)と、隣り合う熱交換管(2)どうしの間および上下両端の熱交換管(2)の外側に配置されて熱交換管(2)にろう付されたアルミニウム製コルゲートフィン(6)と、上下両端のコルゲートフィン(6)の外側に配置されてコルゲートフィン(6)にろう付されたアルミニウム製サイドプレート(7)とを備えており、凝縮部(1A)および過冷却部(1B)が、前者が上側に位置するように設けられている。
【００４１】
図１および図２に示すように、コンデンサ(1)には、上下に連続して並んだ複数の熱交換管(2)からなる熱交換パス(P1)(P2)(P3)(P4)が上下に並んで３以上、ここでは４つ設けられている。４つの熱交換パスを、上から順に第１〜第４熱交換パス(P1)(P2)(P3)(P4)というものとする。各熱交換パス(P1)(P2)(P3)(P4)を構成する全ての熱交換管(2)の冷媒流れ方向が同一となっているとともに、隣り合う２つの熱交換パスの熱交換管(2)の冷媒流れ方向が異なっている。そして、第１〜第３熱交換パス(P1)(P2)(P3)が凝縮部(1A)に設けられて冷媒凝縮パスとなっており、第４熱交換パス(P4)が過冷却部(1B)に設けられて冷媒過冷却パスとなっている。
【００４２】
コンデンサ(1)の左端側には、冷媒過冷却パスである第４熱交換パス(P4)、および冷媒流れ方向下流端側の冷媒凝縮パスである第３熱交換パス(P3)を構成する熱交換管(2)が接続された第１ヘッダタンク(3)と、冷媒流れ方向下流端側の冷媒凝縮パスを除いた冷媒凝縮パス、すなわち第１および第２熱交換パス(P1)(P2)の熱交換管(2)が接続された第２ヘッダタンク(4)とが別個に設けられ、コンデンサ(1)の右端側には、第１〜第４熱交換パス(P1)〜(P4)を構成するすべての熱交換管(2)が接続された第３ヘッダタンク(5)が設けられている。第１ヘッダタンク(3)は、第２ヘッダタンク(4)よりも左右方向外側、ここでは左側に配置されており、上端は第２ヘッダタンク(4)の下端よりも上方でかつ上端とほぼ同一高さに位置し、下端は下側サイドプレート(7)とほぼ同一高さに位置している。第１ヘッダタンク(3)における第２ヘッダタンク(4)よりも下方に位置する部分に、第３および第４熱交換パス(P3)(P4)の熱交換管(2)が接続されている。
【００４３】
第１ヘッダタンク(3)は、重力を利用して気液を分離しかつ液を溜める受液部としての機能を有しており、第１ヘッダタンク(3)内に流入した気液混相冷媒のうち液相主体混相冷媒が重力により第１ヘッダタンク(3)内の下部に溜まるとともに、気液混相冷媒のうちの気相成分が重力により第１ヘッダタンク(3)内の上部に溜まるようになっている。
【００４４】
第３ヘッダタンク(5)内は、第１熱交換パス(P1)と第２熱交換パス(P2)との間の高さ位置、および第３熱交換パス(P3)と第４熱交換パス(P4)との間の高さ位置にそれぞれ設けられたアルミニウム製仕切板(8)(9)により上側ヘッダ部(11)と、中間ヘッダ部(12)と、下側ヘッダ部(13)とに区画されている。したがって、第１熱交換パス(P1)の熱交換管(2)の右端部は上側ヘッダ部(11)内に通じ、第２および第３熱交換パス(P2)(P3)の熱交換管(2)の右端部は中間ヘッダ部(32)内に通じ、第４熱交換パス(P3)の熱交換管(2)の右端部は下側ヘッダ部(13)内に通じている。第３ヘッダタンク(5)の上側ヘッダ部(11)に冷媒入口(14)が形成され、下側ヘッダ部(13)に冷媒出口(15)が形成されている。そして、第３ヘッダタンク(5)に、冷媒入口(14)に通じる冷媒入口部材(16)および冷媒出口(15)に通じる冷媒出口部材(17)が接合されている。
【００４５】
第１ヘッダタンク(3)は、上端部（凝縮部(1A)側端部）が閉鎖されるとともに下端部（過冷却部(1B)側端部）が開口した有蓋円筒状のアルミニウム製筒状本体(18)と、筒状本体(18)の下端部に着脱自在に取り付けられて筒状本体(18)内からの冷媒の洩れを防止する合成樹脂製またはアルミニウム製洩れ防止部材(19)とよりなる。第１ヘッダタンク(3)の凝縮部(1A)側の空間内に、乾燥剤を収納した袋状の乾燥剤収納部材(20)が配置されている。
【００４６】
図３〜図５に示すように、第１ヘッダタンク(3)の筒状本体(18)内の下部でかつ過冷却部と対応する高さ位置に、筒状本体(18)への洩れ防止部材(19)の着脱自在の取付に利用されるアルミニウム製めねじ部材(21)が設けられている。めねじ部材(21)は、筒状本体(18)とは別個に形成されたものであって、筒状本体(18)に接合されている。めねじ部材(21)は、長手方向を上下方向に向けるとともに上下両端が開口し、かつ内周面が円筒面である円筒状部(22)を有している。めねじ部材(21)の円筒状部(22)の上端は第３熱交換パス(P3)と第４熱交換パス(P4)との間の高さに位置するとともに、同下端は筒状本体(18)の下端と同一高さに位置しており、これによりめねじ部材(21)が過冷却部(1B)の全高にわたって設けられている。円筒状部(22)の内周面の下部にはめねじ(23)が形成されている。
【００４７】
めねじ部材(21)の円筒状部(22)の外径は筒状本体(18)の内径よりも小さくなっており、第１ヘッダタンク(3)の筒状本体(18)の内周面と、めねじ部材(21)の円筒状部(22)外周面との間に冷媒流通空間(24)が全周にわたって形成されている。めねじ部材(21)の円筒状部(22)の上端部に、第３熱交換パス(P3)と第４熱交換パス(P4)との間の高さに位置し、かつ外周縁部が筒状本体(18)の内周面にろう付されて冷媒流通空間(24)の上端を閉鎖する外方張り出し状の上閉鎖部(25)が一体に設けられている。また、めねじ部材(21)の円筒状部(22)の下端部に、第４熱交換パス(P4)よりも下方に位置し、かつ外周縁部が筒状本体(18)の内周面にろう付されて冷媒流通空間(24)の下端を閉鎖する外方張り出し状の下閉鎖部(26)が一体に設けられている。下閉鎖部(26)の下端は筒状本体(18)よりも下方に突出しており、当該突出部に径方向外方に突出して筒状本体(18)の下端面に接合された外向きフランジ(26a)が一体に設けられている。そして、過冷却部(1B)の全熱交換管である第４熱交換パス(P4)の熱交換管(2)の左端部が、第１ヘッダタンク(3)の筒状本体(18)に接続されて冷媒流通空間(24)に突出している。第４熱交換パス(P4)の熱交換管(2)の左端部は、めねじ部材(21)の円筒状部(22)に干渉しないように切除されている。切除部を(2a)で示す。切除部(2a)の底部は凹円弧状である。
【００４８】
第１ヘッダタンク(3)の筒状本体(18)内の凝縮部(1A)側の空間とめねじ部材(21)の円筒状部(22)内とは円筒状部(22)の上端開口を介して通じさせられている。また、めねじ部材(21)の円筒状部(22)におけるめねじ(23)よりも上方の部分に、円筒状部(22)内と冷媒流通空間(24)とを通じさせる複数の冷媒通過穴(27)が周方向に間隔をおいて形成されている。
【００４９】
洩れ防止部材(19)には、外周面が円筒面であるとともに当該円筒面におねじ(29)が形成された円柱状おねじ部材(28)が一体に設けられており、洩れ防止部材(19)のおねじ部材(28)のおねじ(29)が筒状本体(18)のめねじ部材(21)のめねじ(23)にねじ嵌められることにより、洩れ防止部材(19)が筒状本体(18)に着脱自在に取り付けられている。おねじ部材(28)の下端は、めねじ部材(21)の円筒状部(22)よりも下方に突出しており、ここに径方向外方に張り出し、かつ円筒状部(22)下端面および下閉鎖部(26)の下面に密着することによって、めねじ部材(21)の円筒状部(22)の下端開口を塞ぐとともに筒状本体(18)内からの冷媒の洩れを防止する洩れ防止部(31)が一体に設けられている。洩れ防止部材(19)のおねじ部材(28)の上端は、めねじ部材(21)の円筒状部(22)の冷媒通過穴(27)よりも下方に位置している。また、おねじ部材(28)の外周面におけるおねじ(29)の上下両側部分とめねじ部材(21)の円筒状部(22)の内周面におけるめねじ(23)の上下両側部分との間は、Ｏリング(32)により密閉されている。
【００５０】
洩れ防止部材(19)のおねじ部材(28)の上端部（凝縮部側端部）に、第１ヘッダタンク(3)内の凝縮部(1A)側の空間からめねじ部材(21)の円筒状部(22)内に流入する冷媒中の異物を除去するストレーナ(33)が固定状に設けられている。おねじ部材(28)の上端に、上端が開口した円筒部(34)が上方突出状に一体に設けられ、円筒部(34)に複数の貫通穴(35)が周方向に間隔をおいて形成され、円筒部(34)の内周面がすべての貫通穴(35)を塞ぐようにメッシュ状のフィルタ(36)により覆われることによって、ストレーナ(33)が設けられている。円筒部(34)の上端には、径方向外方に張り出してめねじ部材(21)の円筒状部(22)内周面における冷媒通過穴(27)よりも上方の部分に密着する密着部(34a)が一体に設けられている。
【００５１】
第２ヘッダタンク(4)、第１ヘッダタンク(3)における第３熱交換パス(P3)の熱交換管(2)が接続された部分、第３ヘッダタンク(5)の上側ヘッダ部(11)および中間ヘッダ部(12)、ならびに第１〜第３熱交換パス(P1)(P2)(P3)により冷媒を凝縮させる凝縮部(1A)が形成され、第１ヘッダタンク(3)における第４交換パス(P4)の熱交換管(2)が接続された部分、第３ヘッダタンク(5)の下側ヘッダ部(13)および第４熱交換パス(P4)により冷媒を過冷却する過冷却部(1B)が形成され、第１〜第３熱交換パス(P1)(P2)(P3)が冷媒を凝縮させる冷媒凝縮パスとなっているとともに、第４熱交換パス(P4)が冷媒を過冷却する冷媒過冷却パスとなっている。
【００５２】
コンデンサ(1)は、圧縮機、膨張弁（減圧器）およびエバポレータとともに冷凍サイクルを構成し、カーエアコンとして車両に搭載される。
【００５３】
上述した構成のコンデンサ(1)において、圧縮機により圧縮された高温高圧の気相冷媒が、冷媒入口部材(16)および冷媒入口(14)を通って第３ヘッダタンク(5)の上側ヘッダ部(11)内に流入し、第１熱交換パス(P1)の熱交換管(2)内を左方に流れる間に凝縮させられて第２ヘッダタンク(4)内に流入する。第２ヘッダタンク(4)内に流入した冷媒は、第２熱交換パス(P2)の熱交換管(2)内を右方に流れる間に凝縮させられて第３ヘッダタンク(5)の中間ヘッダ部(12)内に流入する。第３ヘッダタンク(5)の中間ヘッダ部(12)内に流入した冷媒は、第３熱交換パス(P3)の熱交換管(2)内を左方に流れる間に凝縮させられて第１ヘッダタンク(3)内に流入し、乾燥剤収納部材(20)内の乾燥剤に触れることにより冷媒中の水分が除去される。
【００５４】
第１ヘッダタンク(3)内に流入した冷媒は気液混相冷媒であり、当該気液混相冷媒のうち液相主体冷媒は重力により下方に流れ、めねじ部材(21)の円筒状部(22)の上端開口を通って円筒状部(22)内に流入する。一方、第１ヘッダタンク(3)内に流入した気液混相冷媒のうちの気相冷媒は、第１ヘッダタンク(3)内の上部に溜まる。めねじ部材(21)の円筒状部(22)内に流入した液相主体冷媒は、ストレーナ(33)の円筒部(34)の上端開口を通って円筒部(34)内に流入し、さらに貫通穴(35)を通って円筒部(34)から流出する。液相主体冷媒中に異物が含まれている場合、当該異物はフィルタ(36)により除去される。
【００５５】
ストレーナ(33)の円筒部(34)から流出した液相主体冷媒は、円筒状部(22)の冷媒通過穴(27)を通って冷媒流通空間(24)内に流入し、第４熱交換パス(P4)の熱交換管(2)内に入る。第４熱交換パス(P4)の熱交換管(2)内に入った液相主体冷媒は、第４熱交換パス(P4)の熱交換管(2)内を右方に流れる間に過冷却された後、第３ヘッダタンク(5)の下側ヘッダ部(13)内に入り、冷媒出口および冷媒出口部材(35)を通って流出し、膨張弁を経てエバポレータに送られる。
【００５６】
実施形態２
この実施形態は図６に示すものである。図６はこの発明の実施形態２のコンデンサの全体構成を模式的に示し、個々の熱交換管の図示は省略されるとともに、コルゲートフィン、サイドプレート、冷媒入口部材および冷媒出口部材の図示も省略されている。
【００５７】
図６において、コンデンサ(40)には、凝縮部(40A)および過冷却部(40B)が、前者が上側に位置するように設けられており、凝縮部(40A)および過冷却部(40B)に、それぞれ上下に連続して並んだ複数の熱交換管(2)からなる少なくとも１つ、ここでは１つの熱交換パス(P1)(P2)が設けられている。凝縮部(40A)に設けられた熱交換パス(P1)が冷媒凝縮パスとなり、過冷却部(40B)に設けられた熱交換パス(P2)が冷媒過冷却パスとなっている。そして、各熱交換パス(P1)(P2)を構成する全ての熱交換管(2)の冷媒流れ方向が同一となっているとともに、隣り合う２つの熱交換パスの熱交換管(2)の冷媒流れ方向が異なっている。ここで、凝縮部(40A)の熱交換パス(P1)を第１熱交換パスといい、過冷却部(40B)の熱交換パス(P2)を第２熱交換パスというものとする。
【００５８】
コンデンサ(40)の左端側に、冷媒過冷却パスである第２熱交換パス(P2)を構成する熱交換管(2)が接続された第１ヘッダタンク(3)と、冷媒凝縮パスである第１熱交換パス(P1)の熱交換管(2)が接続された第２ヘッダタンク(4)とが別個に設けられ、コンデンサ(40)の右端側には、第１および第２熱交換パス(P1)(P2)を構成するすべての熱交換管(2)が接続された第３ヘッダタンク(5)が設けられている。
【００５９】
第１ヘッダタンク(3)は、第２ヘッダタンク(4)よりも左右方向外側、ここでは左側に配置されており、第１ヘッダタンク(3)の上端は第２ヘッダタンク(4)の下端よりも上方でかつ第２ヘッダタンク(4)とほぼ同一高さに位置し、第１ヘッダタンク(41)の下端は第２ヘッダタンク(4)の下端よりも下方の高さに位置している。第１ヘッダタンク(3)における第２ヘッダタンク(4)よりも下方に位置する部分に、第２熱交換パス(P2)の熱交換管(2)が接続されている。
【００６０】
第１ヘッダタンク(3)は、重力を利用して気液を分離しかつ液を溜める受液部としての機能を有しており、第１ヘッダタンク(3)内に流入した気液混相冷媒のうち液相主体混相冷媒が重力により第１ヘッダタンク(3)内の下部に溜まるとともに、気液混相冷媒のうちの気相成分が重力により第１ヘッダタンク(3)内の上部に溜まるようになっている。
【００６１】
第３ヘッダタンク(5)内は、第１熱交換パス(P1)と第２熱交換パス(P2)との間の高さ位置に設けられたアルミニウム製仕切板(41)により、上側ヘッダ部(42)と下側ヘッダ部(43)とに区画されている。したがって、第１熱交換パス(P1)の熱交換管(2)の右端部は上側ヘッダ部(42)内に通じ、第２熱交換パス(P2)の熱交換管(2)の右端部は下側ヘッダ部(43)内に通じている。第３ヘッダタンク(5)の上側ヘッダ部(11)に冷媒入口(14)が形成され、下側ヘッダ部(13)に冷媒出口(15)が形成されている。そして、第３ヘッダタンク(5)に、冷媒入口(14)に通じる冷媒入口部材（図示略）および冷媒出口(15)に通じる冷媒出口部材（図示略）が接合されている。
【００６２】
第１ヘッダタンク(3)における第２ヘッダタンク(4)よりも下方に位置する部分、すなわち過冷却部(40B)と対応する高さ位置に、筒状本体(18)への洩れ防止部材(19)の着脱自在の取付に利用されるアルミニウム製めねじ部材(21)が設けられている。
【００６３】
第１ヘッダタンク(3)内の凝縮部(40A)側の空間、すなわちめねじ部材(21)よりも上方の空間の下端部は、連通部(44)を介して第２ヘッダタンク(4)内の下端部、すなわち冷媒凝縮パスである第１熱交換パス(P1)の熱交換管(2)が通じる部分と連通させられている。また、第１ヘッダタンク(3)内の凝縮部(40A)側の空間内に乾燥剤収納部材(20)が配置されている。
【００６４】
第２ヘッダタンク(4)、第３ヘッダタンク(5)の上側ヘッダ部(42)および第１熱交換パス(P1)により冷媒を凝縮させる凝縮部(40A)が形成され、第１ヘッダタンク(3)、第３ヘッダタンク(5)の下側ヘッダ部(43)および第２熱交換パス(P2)により冷媒を過冷却する過冷却部(40B)が形成され、第１熱交換パス(P1)が冷媒を凝縮させる冷媒凝縮パスとなっているとともに、第２熱交換パス(P2)が冷媒を過冷却する冷媒過冷却パスとなっている。
【００６５】
上述した構成のコンデンサ(40)において、圧縮機により圧縮された高温高圧の気相冷媒が、冷媒入口部材および冷媒入口(14)を通って第３ヘッダタンク(5)の上側ヘッダ部(42)内に流入し、第１熱交換パス(P1)の熱交換管(2)内を左方に流れる間に凝縮させられて第２ヘッダタンク(4)内に流入する。第２ヘッダタンク(4)内に流入した冷媒は、連通部(44)を通って第１ヘッダタンク(3)内に流入する。
【００６６】
第１ヘッダタンク(3)内に流入した冷媒は気液混相冷媒であり、当該気液混相冷媒のうち液相主体冷媒は重力により下方に流れ、上記実施形態１のコンデンサ(1)の場合と同様にして、第２熱交換パス(P2)の熱交換管(2)内に入る。第２熱交換パス(P2)の熱交換管(2)内に入った液相主体冷媒は、第２熱交換パス(P2)の熱交換管(2)内を右方に流れる間に過冷却された後、第３ヘッダタンク(5)の下側ヘッダ部(43)内に入り、冷媒出口(15)および冷媒出口部材を通って流出し、膨張弁を経てエバポレータに送られる。
【００６７】
一方、第１ヘッダタンク(3)内に流入した気液混相冷媒のうちの気相冷媒は、第１ヘッダタンク(3)内の上部に溜まる。
【００６８】
実施形態３
この実施形態は図７〜図１１に示すものである。図７はこの発明の実施形態３のコンデンサの全体構成を示し、図８はこの発明の実施形態３のコンデンサを模式的に示す。図８においては、個々の熱交換管の図示は省略されるとともに、コルゲートフィン、サイドプレート、冷媒入口部材および冷媒出口部材の図示も省略されている。また、図９〜図１１は図７のコンデンサの要部の構成を示す。
【００６９】
図７および図８において、コンデンサ(50)には、凝縮部(50A)および過冷却部(50B)が、前者が下側に位置するように設けられている。コンデンサ(50)には、上下に連続して並んだ複数の熱交換管(2)からなる熱交換パス(P1)(P2)(P3)(P4)が上下に並んで４つ設けられている。４つの熱交換パスを、下から順に第１〜第４熱交換パス(P1)(P2)(P3)(P4)というものとする。各熱交換パス(P1)(P2)(P3)(P4)を構成する全ての熱交換管(2)の冷媒流れ方向が同一となっているとともに、隣り合う２つの熱交換パスの熱交換管(2)の冷媒流れ方向が異なっている。そして、第１〜第３熱交換パス(P1)(P2)(P3)が凝縮部(50A)に設けられて冷媒凝縮パスとなっており、第４熱交換パス(P4)が過冷却部(50B)に設けられて冷媒過冷却パスとなっている。
【００７０】
コンデンサ(50)の左端側には、冷媒過冷却パスである第４熱交換パス(P4)、および冷媒流れ方向下流端側の冷媒凝縮パスである第３熱交換パス(P3)を構成する熱交換管(2)が接続された第１ヘッダタンク(51)と、冷媒流れ方向下流端側の冷媒凝縮パスを除いた冷媒凝縮パス、すなわち第１および第２熱交換パス(P1)(P2)の熱交換管(2)が接続された第２ヘッダタンク(4)とが別個に設けられ、コンデンサ(50)の右端側には、第１〜第４熱交換パス(P1)〜(P4)を構成するすべての熱交換管(2)が接続された第３ヘッダタンク(5)が設けられている。第１ヘッダタンク(51)は、第２ヘッダタンク(4)よりも左右方向外側、ここでは左側に配置されており、第１ヘッダタンク(51)の上端は第２ヘッダタンク(4)の上端よりも上方でかつ上側サイドプレート(7)とほぼ同一高さに位置し、第１ヘッダタンク(51)の下端は第２ヘッダタンク(4)の下端とほぼ同一高さに位置している。第１ヘッダタンク(51)における第２ヘッダタンク(4)よりも上方に位置する部分に、第３および第４熱交換パス(P3)(P4)の熱交換管(2)がろう付により接続されている。
【００７１】
第１ヘッダタンク(51)は、重力を利用して気液を分離しかつ液を溜める受液部としての機能を有しており、第１ヘッダタンク(51)内に流入した気液混相冷媒のうち液相主体混相冷媒が重力により第１ヘッダタンク(51)内の下部に溜まるとともに、気液混相冷媒のうちの気相成分が重力により第１ヘッダタンク(51)内の上部に溜まるようになっている。
【００７２】
第３ヘッダタンク(5)内は、第１熱交換パス(P1)と第２熱交換パス(P2)との間の高さ位置、および第３熱交換パス(P3)と第４熱交換パス(P4)との間の高さ位置にそれぞれ設けられたアルミニウム製仕切板(57)(58)により、下側ヘッダ部(59)と中間ヘッダ部(61)と上側ヘッダ部(62)とに区画されている。第１熱交換パス(P1)の熱交換管(2)の右端部は下側ヘッダ部(59)内に通じ、第２および第３熱交換パス(P2)の熱交換管(2)の右端部は中間ヘッダ部(61)内に通じ、第４熱交換パス(P3)の右端部は上側ヘッダ部(62)内に通じている。第３ヘッダタンク(5)の下側ヘッダ部(59)に冷媒入口(14)が形成され、第３ヘッダタンク(5)の上側ヘッダ部(62)に冷媒出口(15)が形成されている。そして、第３ヘッダタンク(5)に、冷媒入口(14)に通じる冷媒入口部材(16)および冷媒出口(15)に通じる冷媒出口部材(17)が接合されている。
【００７３】
第１ヘッダタンク(51)は、上記実施形態１のコンデンサ(1)の筒状本体(18)を上下逆向きに配置したものであり、かつ下端部（凝縮部(50A)側端部）が閉鎖されるとともに上端部（過冷却部(50B)側端部）が開口した有底円筒状のアルミニウム製筒状本体(18)と、筒状本体(18)の上端部に着脱自在に取り付けられて筒状本体(18)内からの冷媒の洩れを防止する合成樹脂製またはアルミニウム製洩れ防止部材(52)とよりなる。第１ヘッダタンク(3)の凝縮部(1A)側の空間内に、乾燥剤を収納した袋状の乾燥剤収納部材(20)が配置されている。
【００７４】
図９〜図１１に示すように、第１ヘッダタンク(3)の筒状本体(18)内の上部でかつ過冷却部(50B)と対応する高さ位置に、筒状本体(18)への洩れ防止部材(52)の着脱自在の取付に利用されるアルミニウム製めねじ部材(21)が設けられている。めねじ部材(21)は、上記実施形態１のコンデンサ(1)のめねじ部材(21)と同様な構成であり、実施形態１のコンデンサ(1)の場合とは上下逆向きに配置されて筒状本体(18)にろう付により接合されている。
【００７５】
第１ヘッダタンク(51)の凝縮部(50A)側の空間内に、一端が第１ヘッダタンク(51)内の下端部に位置するとともに他端がめねじ部材(21)の円筒状部(22)内に通じている冷媒上昇管(53)が配置されている。冷媒上昇管(53)は、乾燥剤収納部材(20)を避けるように配置されている。
【００７６】
洩れ防止部材(52)は、上記実施形態１のコンデンサ(1)の洩れ防止部材(19)とほぼ同様な構成であり、実施形態１のコンデンサ(1)の場合とは上下逆向きに配置されてめねじ部材(21)に取り付けられている。
【００７７】
洩れ防止部材(52)における洩れ防止部材(19)との相違点は、次の点にある。すなわち、ストレーナ(33)の円筒部(34)の下端部に、めねじ部材(21)の円筒状部(22)の下端開口を塞ぐ閉鎖部(54)が一体に設けられ、閉鎖部(54)に貫通穴(55)が形成され、冷媒上昇管(53)の上端部が、冷媒上昇管(53)の管路と貫通穴(55)とが通じるように閉鎖部(54)に固定されていることにある。閉鎖部(54)の外周縁部が、めねじ部材(21)の円筒状部(22)内周面に密着することにより、円筒状部(22)の下端開口が塞がれている。閉鎖部(54)下面には、貫通穴(55)の周囲を囲繞するように短筒状部(56)が一体に設けられており、冷媒上昇管(53)の上端部が短筒状部(56)の周囲に嵌め被せられ、これにより冷媒上昇管(53)の上端部が閉鎖部(54)に固定されている。
【００７８】
第２ヘッダタンク(4)、第１ヘッダタンク(51)における第３熱交換パス(P3)の熱交換管(2)が接続された部分、第３ヘッダタンク(5)の下側ヘッダ部(59)および中間ヘッダ部(61)、ならびに第１〜第３熱交換パス(P1)(P2)(P3)により冷媒を凝縮させる凝縮部(50A)が形成され、第１ヘッダタンク(51)における第４交換パス(P4)の熱交換管(2)が接続された部分、第３ヘッダタンク(5)の上側ヘッダ部(62)および第４熱交換パス(P4)により冷媒を過冷却する過冷却部(50B)が形成され、第１〜第３熱交換パス(P1)(P2)(P3)が冷媒を凝縮させる冷媒凝縮パスとなっているとともに、第４熱交換パス(P4)が冷媒を過冷却する冷媒過冷却パスとなっている。
【００７９】
上述した構成のコンデンサ(50)において、圧縮機により圧縮された高温高圧の気相冷媒が、冷媒入口部材(16)および冷媒入口(14)を通って第３ヘッダタンク(5)の下側ヘッダ部(59)内に流入し、第１熱交換パス(P1)の熱交換管(2)内を左方に流れる間に凝縮させられて第２ヘッダタンク(4)内に流入する。第２ヘッダタンク(4)内に流入した冷媒は、第２熱交換パス(P2)の熱交換管(2)内を右方に流れる間に凝縮させられて第３ヘッダタンク(5)の中間ヘッダ部(61)内に流入する。第３ヘッダタンク(5)の中間ヘッダ部(61)内に流入した冷媒は、第３熱交換パス(P3)の熱交換管(2)内を左方に流れる間に凝縮させられて第１ヘッダタンク(51)内に流入し、乾燥剤収納部材(20)内の乾燥剤に触れることにより冷媒中の水分が除去される。
【００８０】
第１ヘッダタンク(3)内に流入した冷媒は気液混相冷媒であり、当該気液混相冷媒のうち液相主体冷媒は重力により下方に流れて第１ヘッダタンク(51)内の下部に溜まり、同じく気液混相冷媒のうちの気相冷媒は、第１ヘッダタンク(51)内の上部に溜まる。
【００８１】
第１ヘッダタンク(51)内の下部に溜まった液相主体冷媒は、冷媒上昇管(53)内に流入し、冷媒上昇管(53)内を上方に流れるとともに閉鎖部(54)の貫通穴(55)を通ってめねじ部材(21)の円筒状部(22)内に流入する。めねじ部材(21)の円筒状部(22)内に流入した液相主体冷媒は、上記実施形態１のコンデンサ(1)の場合と同様にして、第４熱交換パス(P4)の熱交換管(2)内に入り、第４熱交換パス(P4)の熱交換管(2)内を右方に流れる間に過冷却された後、第３ヘッダタンク(5)の上側ヘッダ部(62)内に入り、冷媒出口(15)および冷媒出口部材(17)を通って流出し、膨張弁を経てエバポレータに送られる。
【００８２】
図１２および図１３は、実施形態３のコンデンサ(50)に用いられる洩れ防止部材の変形例を示す。
【００８３】
図１２に示す洩れ防止部材(65)の場合、ストレーナ(33)の円筒部(34)の下端部に一体に設けられた閉鎖部(66)の外周縁はめねじ部材(21)の円筒状部(22)内周面に密着しておらず、閉鎖部(66)の外周面とめねじ部材(21)の円筒状部(22)内周面との間がＯリング(67)により密閉され、これによりめねじ部材(21)の円筒状部(22)の下端開口が閉鎖されている。その他の構成は、実施形態３の洩れ防止部材(52)と同様である。
【００８４】
図１３に示す洩れ防止部材(70)の場合、おねじ部材(28)の下側に、おねじ部材(28)とは別個に形成され、かつおねじ部材(28)に対してめねじ部材(21)の円筒状部(22)の中心線周りに回転するストレーナ(71)が設けられている。
【００８５】
ストレーナ(71)は、長手方向を上下方向に向けた合成樹脂製円筒部(72)と、円筒部(72)の上端に一体に形成されて円筒部(72)の上端開口を閉鎖する上端壁(73)と、円筒部(72)の下端に一体に形成されて円筒部(72)の下端開口を閉鎖する下端壁(74)とを備えており、円筒部(72)に複数の貫通穴(75)が周方向に間隔をおいて形成され、円筒部(72)の内周面がすべての貫通穴(75)を塞ぐようにメッシュ状のフィルタ(36)により覆われたものである。ストレーナ(71)の下端壁(74)の外周縁部は円筒部(72)の外周面よりも径方向外方に張り出しており、この外方張り出し部(74a)が、めねじ部材(21)の円筒状部(22)の下端部に一体に設けられた内方張り出し部(22a)上に受けられている。そして、ストレーナ(71)の下端壁(74)が、めねじ部材(21)の円筒状部(22)の下端開口を閉鎖する閉鎖部となっている。したがって、閉鎖部は、おねじ部材(28)に対してめねじ部材(21)の円筒状部(22)の中心線周りに回転可能である。その他の構成は、実施形態３の洩れ防止部材(52)と同様である。
【００８６】
実施形態４
この実施形態は図１４に示すものである。図１４はこの発明の実施形態４のコンデンサの全体構成を模式的に示し、個々の熱交換管の図示は省略されるとともに、コルゲートフィン、サイドプレート、冷媒入口部材および冷媒出口部材の図示も省略されている。
【００８７】
図１４において、コンデンサ(80)には、凝縮部(80A)および過冷却部(80B)が、前者が下側に位置するように設けられており、凝縮部(80A)および過冷却部(80B)に、それぞれ上下に連続して並んだ複数の熱交換管(2)からなる少なくとも１つ、ここでは１つの熱交換パス(P1)(P2)が設けられている。凝縮部(80A)に設けられた熱交換パス(P1)が冷媒凝縮パスとなり、過冷却部(80B)に設けられた熱交換パス(P2)が冷媒過冷却パスとなっている。そして、各熱交換パス(P1)(P2)を構成する全ての熱交換管(2)の冷媒流れ方向が同一となっているとともに、隣り合う２つの熱交換パスの熱交換管(2)の冷媒流れ方向が異なっている。ここで、凝縮部(80A)の熱交換パス(P1)を第１熱交換パスといい、過冷却部(80B)の熱交換パス(P2)を第２熱交換パスというものとする。
【００８８】
コンデンサ(80)の左端側に、冷媒過冷却パスである第２熱交換パス(P2)を構成する熱交換管(2)が接続された第１ヘッダタンク(51)と、冷媒凝縮パスである第１熱交換パス(P1)の熱交換管(2)が接続された第２ヘッダタンク(4)とが別個に設けられ、コンデンサ(80)の右端側には、第１および第２熱交換パス(P1)(P2)を構成するすべての熱交換管(2)が接続された第３ヘッダタンク(5)が設けられている。
【００８９】
第１ヘッダタンク(51)は、第２ヘッダタンク(4)よりも左右方向外側、ここでは左側に配置されており、第１ヘッダタンク(51)の上端は第２ヘッダタンク(4)の上端よりも上方に位置し、第１ヘッダタンク(51)の下端は第２ヘッダタンク(4)の下端とほぼ同一高さに位置している。第１ヘッダタンク(51)における第２ヘッダタンク(4)よりも上方に位置する部分に、第２熱交換パス(P2)の熱交換管(2)が接続されている。
【００９０】
第１ヘッダタンク(51)は、重力を利用して気液を分離しかつ液を溜める受液部としての機能を有しており、第１ヘッダタンク(51)内に流入した気液混相冷媒のうち液相主体混相冷媒が重力により第１ヘッダタンク(51)内の下部に溜まるとともに、気液混相冷媒のうちの気相成分が重力により第１ヘッダタンク(51)内の上部に溜まるようになっている。
【００９１】
第３ヘッダタンク(5)内は、第１熱交換パス(P1)と第２熱交換パス(P2)との間の高さ位置に設けられたアルミニウム製仕切板(81)により、下側ヘッダ部(82)と上側ヘッダ部(83)とに区画されている。したがって、第１熱交換パス(P1)の熱交換管(2)の右端部は下側ヘッダ部(82)内に通じ、第２熱交換パス(P2)の熱交換管(2)の右端部は上側ヘッダ部(83)内に通じている。第３ヘッダタンク(5)の下側ヘッダ部(82)に冷媒入口(14)が形成され、上側ヘッダ部(83)に冷媒出口(15)が形成されている。そして、第３ヘッダタンク(5)に、冷媒入口(14)に通じる冷媒入口部材（図示略）および冷媒出口(15)に通じる冷媒出口部材（図示略）が接合されている。
【００９２】
第１ヘッダタンク(51)における第２ヘッダタンク(4)よりも上方に位置する部分、すなわち過冷却部(80B)と対応する高さ位置に、筒状本体(18)への洩れ防止部材(52)の着脱自在の取付に利用されるアルミニウム製めねじ部材(21)が設けられている。
【００９３】
第１ヘッダタンク(51)内の凝縮部(80A)側の空間、すなわちめねじ部材(21)よりも下方の空間の上端部は、連通部(84)を介して第２ヘッダタンク(4)内の上端部、すなわち冷媒凝縮パスである第１熱交換パス(P1)の熱交換管(2)が通じる部分と連通させられている。また、第１ヘッダタンク(51)内の凝縮部(80A)側の空間内に乾燥剤収納部材(20)が配置されている。
【００９４】
第２ヘッダタンク(4)、第３ヘッダタンク(5)の下側ヘッダ部(82)および第１熱交換パス(P1)により冷媒を凝縮させる凝縮部(80A)が形成され、第１ヘッダタンク(51)、第３ヘッダタンク(5)の上側ヘッダ部(83)および第２熱交換パス(P2)により冷媒を過冷却する過冷却部(80B)が形成され、第１熱交換パス(P1)が冷媒を凝縮させる冷媒凝縮パスとなっているとともに、第２熱交換パス(P2)が冷媒を過冷却する冷媒過冷却パスとなっている。
【００９５】
上述した構成のコンデンサ(80)において、圧縮機により圧縮された高温高圧の気相冷媒が、冷媒入口部材および冷媒入口(14)を通って第３ヘッダタンク(5)の下側ヘッダ部(82)内に流入し、第１熱交換パス(P1)の熱交換管(2)内を左方に流れる間に凝縮させられて第２ヘッダタンク(4)内に流入する。第２ヘッダタンク(4)内に流入した冷媒は、連通部(84)を通って第１ヘッダタンク(51)内に流入する。
【００９６】
第１ヘッダタンク(51)内に流入した冷媒は気液混相冷媒であり、当該気液混相冷媒のうち液相主体冷媒は重力により下方に流れて第１ヘッダタンク(51)内の下部に溜まり、同じく気液混相冷媒のうちの気相冷媒は、第１ヘッダタンク(51)内の上部に溜まる。
【００９７】
第１ヘッダタンク(51)内の下部に溜まった液相主体冷媒は、冷媒上昇管(53)内に流入し、冷媒上昇管(53)内を上方に流れるとともに閉鎖部(54)の貫通穴(55)を通ってめねじ部材(21)の円筒状部(22)内に流入する。めねじ部材(21)の円筒状部(22)内に流入した液相主体冷媒は、上記実施形態１のコンデンサ(1)の場合と同様にして、第２熱交換パス(P2)の熱交換管(2)内に入り、第２熱交換パス(P2)の熱交換管(2)内を右方に流れる間に過冷却された後、第３ヘッダタンク(5)の上側ヘッダ部(83)内に入り、冷媒出口(15)および冷媒出口部材を通って流出し、膨張弁を経てエバポレータに送られる。
【００９８】
上記実施形態４において、洩れ防止部材としては、図１２および図１３に示す洩れ防止部材(65)(70)が用いられてもよい。
【産業上の利用可能性】
【００９９】
この発明によるコンデンサは、自動車に搭載されるカーエアコンに好適に用いられる。
【符号の説明】
【０１００】
(1)(50)(80)：コンデンサ
(1A)(50A)(80A)：凝縮部
(1B)(50B)(80B)：過冷却部
(2)：熱交換管
(3)(51)：第１ヘッダタンク
(4)：第２ヘッダタンク
(5)：第３ヘッダタンク
(18)：筒状本体
(19)(52)(65)(70)：洩れ防止部材
(21)：めねじ部材
(22)：円筒状部
(23)：めねじ
(24)：冷媒流通空間
(25)(26)：閉鎖部
(27)：冷媒通過穴
(28)：おねじ部材
(29)：おねじ
(31)：洩れ防止部
(33)(70)：ストレーナ
(44)(84)：連通部
(53)：冷媒上昇管
(54)(66)：閉鎖部
(55)：貫通穴
(74)：下端壁（閉鎖部）
(P1)：第１熱交換パス
(P2)：第２熱交換パス
(P3)：第３熱交換パス
(P4)：第４熱交換パス
【図１】
2014173831.tif 000003
【図２】
2014173831.tif 000004
【図３】
2014173831.tif 000005
【図４】
2014173831.tif 000006
【図５】
2014173831.tif 000007
【図６】
2014173831.tif 000008
【図７】
2014173831.tif 000009
【図８】
2014173831.tif 000010
【図９】
2014173831.tif 000011
【図１０】
2014173831.tif 000012
【図１１】
2014173831.tif 000013
【図１２】
2014173831.tif 000014
【図１３】
2014173831.tif 000015
【図１４】
2014173831.tif 000016